(57)【要約】【課題】第１の課題は、通話中に両手をハンズフリーとすることができ、電話で通話しながら必要に応じて各種の作業を平行して行うことが可能な電話器用ホルダーの提供であり、第２の課題は、メーカーが異なる各種送受話器の把持部に装着可能な汎用性を有する電話器用ホルダーの提供であり、第３の課題は、シンプルかつスマートなデザインで、使い勝手が良好であると共に、企業ＰＲおよび販促商品として有効に活用できる電話器用ホルダーを提供する。【解決手段】軟質又は硬質の軽量素材からなる肩当て部１と、当該肩当て部１一端側に所定の高さおよび／又は傾斜角度を形成した肩掛け部２と、肩当て部１の対面側に形成される装着部３とから構成されている。【選択図】図２
2011114855.tif 000002
【特許請求の範囲】
【請求項１】
固定型電話器又は携帯電話器に取り付けられる電話器用ホルダーであって、
軟質又は硬質の軽量素材からなる肩当て部と、当該肩当て部一端側に所定の高さおよび／又は傾斜角度を形成した肩掛け部と、前記肩当て部の対面側に形成される装着部とから構成されている、
ことを特徴とする電話器用ホルダー。
【請求項２】
前記装着部は、前記送受話器の把持部上面の形状に添設可能となるように、長手方向および短手方向に曲面を形成していると共に、固定手段を備えている、
ことを特徴とする請求項１に記載する電話器用ホルダー。
【請求項３】
前記ホルダーの全周面は、軟質樹脂材、布又は合成皮革からなる表皮部により被包されている、
ことを特徴とする請求項１〜請求項２の何れかに記載する電話器用ホルダー。
【請求項４】
前記肩掛け部の高さは、前記装着部から約４５ｍｍ〜７０ｍｍとし、傾斜角度は、前記把持部の上部彎曲面から約３０°〜６０°上向きに形成されている、
ことを特徴とする請求項１〜請求項３の何れかに記載する電話器用ホルダー。
【請求項５】
前記ホルダーを構成する肩当て部、肩掛け部および装着部は、中実又は中空体である、
ことを特徴とする請求項１〜請求項４の何れかに記載する電話器用ホルダー。
【請求項６】
前記固定手段は、剥離紙付き両面接着テープ、面状ファスナー付きバンド、巾広ゴムバンド、粘着性軟質樹脂材、粘着性ジェル又は１〜複数からなる吸盤体である、
ことを特徴とする請求項１〜請求項５の何れかに記載する電話器用ホルダー。
【請求項７】
前記ホルダーが、ストラップを介して送受話器に連結されると共に、把持部表面の形状に着脱可能なアニメキャラクター、イベントキャラクター、縫いぐるみ、フィギュア、動植物、鳥類、魚類、各種の器物、空想上の創作物である、
ことを特徴とする請求項１〜請求項６の何れかに記載する電話器用ホルダー。
【発明の詳細な説明】
【技術分野】
【０００１】  本発明は、固定型又は携帯電話器における電話器用ホルダーに関し、より詳しくは、送受話口と把持部が一体化したコード付き又はコードレス送受話器の把持部を把持することなく両手を自由に使うことのできる、いわゆるハンズフリーで通話はもちろん、デスクワークその他の作業を可能とし、また手が不自由な身障者にも優しい電話器用ホルダーに関する。
【背景技術】
【０００２】  近年の情報化社会にあって、電話は最も身近な通信媒体であり、各事業体又は各家庭等の固定電話はもちろん、特に携帯電話の普及度とその利用度は、ますます高まっている。しかし一般的な電話器使用にあたっては、右右いずれか片方の手を使わねばならず、いわゆる文明の利器としては人体上の能動面が制約されるなど極めて不便な一面もある。数分の時間ならまだしも、数１０分以上の通話になると、その間、右右いずれか片方の手は、送受話器によって束縛され、かつ疲れてしまう。【０００３】  例えば会社、事務所などの事業体において、書類や図面の作成など手を使っての作業中、電話がかかってきた場合、一旦それらの作業を中断して電話を取り、応対しなければならず、かかってくる電話が多い部署では作業効率が著しく低下することになる。人によっては、首を傾けて受話器を耳と肩との間に挟むことで両手を使用可能な状態とし、通話しながら手作業を遂行することができる器用な人もいるが、これは誰にでも容易にできる姿勢ではなく、また会話が長引いたときに長時間にわたって首や肩の間に電話器を挟持していると、首や肩がだるくなって肩凝り、頭痛などを引き起こす原因になることもある。また近年の固定型又は携帯電話器の形状は、全体的に薄型となってきており、送受話器を側頭部と肩の間に挟み、通話することが困難となってきている。【０００４】  このような不具合を解決するために、従来より電話器用の各種のホルダー、保持具が多数提案されている。例えば、特許文献１（第１頁、図１参照）には、中途部が装着者の肩の部分に位置し、一方が首の後部に回るように、他方が脇の下に回るように自在に曲げることのできる柔軟な性質を有する保持具本体の中途部に、これも同様に柔軟な性質を有する受話器保持棒を連設し、この受話器保持棒の長手方向に移動可能にバネ挟み式の受話器保持クリップを取り付けた電話受話器保持具が開示されている。【０００５】  また、特許文献２（第１頁、図１参照）には、略逆Ｕ字状に形成され肩を前後から挟持可能な肩挟持部と、電話の受話器を着脱自在に保持可能な受話器保持部とから構成され、該受話器保持部が前記肩挟持部に対して移動可能且つ回動自在に取り付られてなることを特徴とする肩掛け式受話器保持具が開示されている。【０００６】  さらに、特許文献３（第１頁、図１参照）には、受話器の握把の一部を短冊形に切開し一端を蝶番で受話口に近い部位に固定しＢ端に湾曲した帯鋼を接続し開閉自在な形とする。使用時には短冊形を開き帯鋼のＤ部を止め金で固定して三角形をつくり、帯鋼の底辺を肩にのせ受話口を耳でおさえて受話器を固定する、両手を自由にできる肩かけ受話器が開示されている。
【先行技術文献】
【特許文献】
【０００７】
【特許文献１】特開２０００−１０１７００号公報
【特許文献２】特開平１１−２２５１９３号公報
【特許文献３】実用新案登録第３０２９１６６号公報
【発明の概要】
【発明が解決しようとする課題】
【０００８】  しかしながら、上記特許文献１に開示された保持具は、電話の着信ベルが鳴ると、電話器近辺の人は、クリップを受話器に挟着し、受話器保持棒を脇部に装着するという手順を経るので、電話をかけた顧客などは、すぐに通話できないのでイライラし、機嫌を損ねて受注を逃がすということが起る可能性がある。さらに構成部品の点数は多数であり、製作コストが高くなる欠点もある。【０００９】  また特許文献２は、受話器と肩挟持部の連結部が細径であるために、受話器の安定性が劣るために、通話が円滑に行われない。またそのデザインもシンプルさとスマートさがないので、市販されてもほとんど普及されていない。【００１０】  特許文献３は、受話器自体に複雑な加工を施さねばならないので大量生産が困難で、製作コストが高くなる。また、彎曲した細腕を肩に密着させるようになっているが、身体が少しでも動くとすぐに離脱してしまうし、安定度が良くないという欠点がある。【００１１】  本発明が解決しようとする第１の課題は、会社、事務所など事業体の業務に関連して電話を多用するデスクワークなどにおいて、通話中に両手をハンズフリーとすることができ、電話で通話しながら必要に応じて各種の作業を平行して行うことが可能な電話器用ホルダーの提供であり、第２の課題は、メーカーが異なる各種送受話器の把持部に装着可能な汎用性を有する電話器用ホルダーの提供であり、第３の課題は、シンプルかつスマートなデザインで、使い勝手が良好であり、企業ＰＲおよび販促商品として有効に活用できるのみならず、趣味嗜好性を満足させることができる電話器用ホルダーを提供することにある。
【課題を解決するための手段】
【００１２】  本発明者は、上記従来技術が有する各種問題点に鑑み鋭意検討を重ね、課題を解決するために、当該業界では想到不可能な解決手段を完成したものである。
課題を解決するための手段は、本願、特許請求の範囲の各請求項に記載の発明であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願発明における特許請求の範囲、明細書および要約書などに記載の用語についての解釈上の疑義を解消すべく、以下に本発明の特許請求の範囲、明細書などに記載する用語の説明を行うこととする。
〈用語の説明〉
○ホルダーとは、固定電話器又は携帯電話における送受話器の把持部上面又は表面に装着され、送受話器を側頭部（耳）と肩の間に一時的に固定し、送受話器を手で把持することなく通話可能とする保持具をいう。
○軽量素材とは、例えば発泡ウレタンゴム、発泡ウレタンフォーム、などの軟質合成樹脂材、ＦＲＰ（繊維強化プラスチック）、木材、木質材料、パルプ材、コルク材、古紙再生材又はアルミ材などの硬質材、繊維製品などをいう。
○肩当て部とは、ホルダーにおける上部外周面をいう。人の右右いずれかの肩部と側頭部（耳）に当接される。
○肩掛け部とは、肩当て部の一端側に所定の高さおよび／又は傾斜角度で形成された延設部をいう。ホルダーが肩部から脱落することを防止する。
○装着部とは、ホルダーにおける肩当て部の対面部の底面全体をいう。メーカーによって異なる送受話器の把持部形状に安定して当接可能な曲面を形成している。
○固定手段とは、ホルダーを送受話器の把持部上面又は表面に固定するための手段をいう。例えば、装着部の底面に取り付けられる剥離紙付き両面接着テープ、面状ファスナー付きバンド、巾広ゴムバンド、粘着性軟質樹脂材、粘着性ジェル又は１〜複数からなる吸盤体などである。【００１３】  課題を解決するための第１の発明は、請求項１に記載の発明であり、
固定型電話器又は携帯電話器に取り付けられる電話器用ホルダーであって、
軟質又は硬質の軽量素材からなる肩当て部と、当該肩当て部一端側に所定の高さおよび／又は傾斜角度を形成した肩掛け部と、前記肩当て部の対面側に形成される装着部とから構成されている、
ことを特徴としている。【００１４】  課題を解決するための第２の発明は、請求項２に記載の発明であり、
前記装着部は、前記送受話器の把持部上面の形状に添設可能となるように、長手方向および短手方向に曲面を形成していると共に、固定手段を備えている、
ことを特徴としている。【００１５】  課題を解決するための第３の発明は、請求項３に記載の発明であり、
前記ホルダーの全周面は、軟質樹脂材、布又は合成皮革からなる表皮部により被包されている、
ことを特徴としている。【００１６】  課題を解決するための第４の発明は、請求項４に記載の発明であり、
前記肩掛け部の高さは、前記装着部から約４５ｍｍ〜７０ｍｍとし、傾斜角度は、前記把持部の上部彎曲面から約３０°〜６０°上向きに形成されている、
ことを特徴としている。【００１７】  課題を解決するための第５の発明は、請求項５に記載の発明であり、
前記ホルダーを構成する肩当て部、肩掛け部および装着部は、中実又は中空体である、
ことを特徴としている。【００１８】  課題を解決するための第６の発明は、請求項６に記載の発明であり、
前記固定手段は、剥離紙付き両面接着テープ、面状ファスナー付きバンド、巾広ゴムバンド、粘着性軟質樹脂材、粘着性ジェル又は１〜複数からなる吸盤体である、
ことを特徴としている。【００１９】  課題を解決するための第７の発明は、請求項７に記載の発明であり、
前記ホルダーが、ストラップを介して送受話器に連結されると共に、把持部表面の形状に着脱可能なアニメキャラクター、イベントキャラクター、縫いぐるみ、フィギュア、動植物、鳥類、魚類、各種の器物、空想上の創作物である、
ことを特徴としている。
【発明の効果】
【００２０】  本発明に係る、電話器用ホルダーは、上記の構成になるから以下の効果を奏する。請求項１の発明によれば、
「固定型電話器又は携帯電話器に取り付けられる電話器用ホルダーであって、
軟質又は硬質の軽量素材からなる肩当て部と、当該肩当て部一端側に所定の高さおよび／又は傾斜角度を形成した肩掛け部と、前記肩当て部の対面側に形成される装着部とから構成されている」
という当業界においては想到不可能な特徴的な構成により、特徴的構成要件に応じた顕著な効果を奏することができた。
即ち、会社、事務所など事業体の業務に関連して電話を多用するデスクワークなどにおいて、通話中に両手をハンズフリーとすることができ、電話で通話しながら必要に応じて各種の作業を平行して行うことが可能な電話器用ホルダーの提供という第１の課題と、メーカーが異なる各種送受話器の把持部に装着可能な汎用性を有する電話器用ホルダーの提供という第２の課題と、シンプルかつスマートなデザインで、使い勝手が良好であり、企業ＰＲおよび販促商品として有効に活用できるのみならず、趣味嗜好性を満足させることができる電話器用ホルダーの提供という第３の課題を併せて解決することができた。【００２１】  請求項２の発明によれば、
「前記装着部は、前記送受話器の把持部上面の形状に添設可能となるように、長手方向および短手方向に曲面を形成していると共に、固定手段を備えている」、
という特徴的な構成により、
メーカーが異なる各種送受話器の把持部に装着可能な汎用性を有する電話器用ホルダーの提供という第２の課題を解決することができた。【００２２】  請求項３の発明によれば、
「前記ホルダーの全周面は、軟質樹脂材、布又は合成皮革からなる表皮部により被包されている」、
という特徴的な構成により、
シンプルかつスマートなデザインで、使い勝手が良好であると共に、企業ＰＲおよび販促商品として有効に活用できる電話器用ホルダーの提供という第３の課題を併せて解決するのみならず、使用によるホルダー表面の汚れなどは、ウェットティッシュペーパーなどにより、これを払拭し、常に清潔さを保持することができる。【００２３】  請求項４の発明によれば、
「前記肩掛け部の高さは、前記装着部から約４５ｍｍ〜７０ｍｍとし、傾斜角度は、前記把持部の上部彎曲面から約３０°〜６０°上向きに形成されている」、
という特徴的な構成により、
第１の課題〜第３の課題を解決するのみならず、肩掛け部と肩当て部は、電話使用者の好みの傾斜角度で自由に選択されて、肩部と側頭部（耳）により確実かつ安定して保持され、両手はデスクワークなどを行いながら、通話は円滑に進められる。【００２４】  請求項５の発明によれば、
「前記ホルダーを構成する肩当て部、肩掛け部および装着部は、中実又は中空体である」、
という特徴的な構成により、
第１の課題〜第３の課題を解決するのみならず、素材およびデザインの選択に汎用性があり、例えば、発泡ウレタンゴム、発泡ウレタンフォームなどの軟質合成樹脂材、木材、木質材料、パルプ材、コルク材、古紙再生材又はアルミ材などの硬質材を使用することにより、ホルダーは軽量となり、かつ製作が容易となる。【００２５】  請求項６の発明によれば、
「前記固定手段は、剥離紙付き両面接着テープ、面状ファスナー付きバンド、巾広ゴムバンド、粘着性軟質樹脂材、粘着性ジェル又は１〜複数からなる吸盤体である」、
という特徴的な構成により、
第１の課題〜第３の課題を解決するのみならず、ホルダー装着部の送受話器への固定及び着脱を簡便に行うことができる。【００２６】  請求項７の発明によれば、
「前記ホルダーが、ストラップを介して送受話器に連結されると共に、把持部表面の形状に着脱可能なアニメキャラクター、イベントキャラクター、縫いぐるみ、フィギュア、動植物、鳥類、魚類、各種の器物、空想上の創作物である」、
という特徴的な構成により、
第１の課題〜第３の課題を解決するのみならず、顧客は好みのデザインのホルダーを購入して固定型又は携帯電話に取り付けて使用することができる。また固定型電話器ホルダーの肩当て部または肩掛け部の所定位置に企業ロゴシールやマーク（図形）を貼付すれば、各企業やイベントなどの広告宣伝媒体となったり販促商品としても幅広く利用することができる。さらに顧客は、携帯電話に好みのアニメキャラクターや縫いぐるみなどをストラップを介して着脱自在に取り付けることができるので、趣味嗜好性を充足することができる。
【図面の簡単な説明】
【００２７】
【図１】は、本発明に係る、ホルダーを固定電話の送受話器に取り付けた状態の斜視図である。
【図２】は、ホルダーの第１実施形態の一部切欠側断面図である。
【図３】は、図２における３−３線拡大断面図である。
【図４】は、ホルダーの第２実施形態の一部切欠側断面図である。
【図５】は、固定手段の他の実施形態を示す側面図である。
【図６】（Ａ）および（Ｂ）は、使用状態を示す斜視図である。
【図７】（Ａ）および（Ｂ）は、ホルダーを携帯電話に取り付けた状態を示す正面図及び側面図である。
【図８】（Ａ）は、ホルダーの第３実施形態の斜視図、同（Ｂ）は、これを携帯電話に取り付けた状態の正面図、同（Ｃ）は、そのホルダーの背面図である。
【発明を実施するための形態】
【００２８】  以下、本発明に係る、電話器用ホルダーに関する最良の実施形態について、図面を参照しながら説明する。図１は、ホルダーＨを固定型電話器の送受話器１０に取り付けた状態を示している。１１は送話口、１２は受話口、１３は把持部である。ホルダーＨは、肩当て部１、肩掛け部２および装着部３から構成されている。ホルダーＨの素材は、軽量素材、例えば発泡ウレタンゴム、発泡ウレタンフォームなどの軟質材、あるいはＦＲＰ（繊維強化プラスチック）、木材、木質材料、パルプ材、コルク材、古紙再生材又はアルミ材などの硬質材から選択される。
【００２９】  図２に示すように、肩掛け部２は、ホルダーＨの肩当て部１の一端側（受話口１２側）に所定の傾斜角度θが形成され、その角度は、送受話器１０における把持部１３の上部彎曲面１３ａから約３０°〜６０°上向きになっている。肩当て部１および肩掛け部２は、中実Ｈａとされ、装着部３の底面３ａは、送受話器１０の上部彎曲面１３ａに添設するように彎曲している。送受話器１０における把持部１３の上部彎曲面１３ａは、各メーカーによって異なっている。本願出願人の知見によれば、その彎曲面半径Ｒ１は、約３００ｍｍ〜５００ｍｍであった。したがって装着部３の底面３ａにおける長手方向の曲面半径は、把持部１３の上部彎曲面１３ａの平均値である約４００ｍｍとすることが好ましい。また装着部３の底面３ａには固定手段である、例えば剥離紙付き両面接着テープ４が貼着されている。また両面接着テープ４の上部に緩衝材（不図示）を介在させることもできる。これにより、各メーカーによって異なる把持部１３の彎曲面に適応することができる。ｈ１は、肩掛け部２の高さ寸法を示すもので、装着部３の下端から約４５ｍｍ〜７０ｍｍとしている。
【００３０】  図３に図示するＲ２は、ホルダーＨの装着部３における短手方向の彎曲面の半径で、約４０ｍｍ〜６０ｍｍとすることが好ましい。近年、固定型電話器における送受話器１０の把持部１３は平坦化しているが、短手方向の彎曲面と剥離紙付き両面接着テープ４または緩衝材（不図示）などによって、ホルダーＨは、送受話器１０の把持部１３の彎曲面に安定して固定される。
【００３１】  図４は、ホルダーＨの肩当て部１、肩掛け部２および装着部３を、発泡ウレタンゴムなどの弾性樹脂材を中空体Ｈｂとしたものであり、その全周面は、軟質樹脂材、例えばポリプロピレン樹脂製の表皮部５または布地や合成皮革などによって被包されている。なお、図２に示す肩当て部１、肩掛け部２および装着部３が中実ＨａのホルダーＨの全周面に表皮部５を被包することも可能であることはもちろんであり、肩当て部１、肩掛け部２および装着部３を中空体（Ｈｂ）としたものに、表皮部５を被包しないホルダーＨともすることができる。
【００３２】  図５に示すように、ホルダーＨを送受話器１０に固定するために、面状ファスナー付きバンド６を使用することもできる。面状ファスナー付きバン６は、例えば、マジックテープ（登録商標）６ａを縫着したバンドに予め肩当て部１のほぼ中央に接着剤などにより、止着しておき、該バンド６を対象物である送受話器１０の把持部１３に巻装し、マジックテープ６ａにより固定される。
【００３３】  図６（Ａ）〜（Ｂ）は、ホルダーＨの使用状態を示すもので、図６（Ａ）は、着信音が鳴ったとき、受話器１０の把持部１３を右右何れかの手で取り上げた状態で、これを図６（Ｂ）のように、受話器１０の受話口１２が耳に当接する肩の位置に肩当て部１と肩掛け部２を載置して通話することができる。
【００３４】  ホルダーＨは、図７（Ａ）および（Ｂ）に示すように携帯電話器Ｋの外表面Ｋ１に取り付けることができる。Ｋ２は撮影部、Ｋ３はストラップで、これにより携帯電話器ＫとホルダーＨとは着脱自在に連結されている。６ｂは、ホルダーＨと携帯電話器Ｋの固定手段である弱粘着性軟質樹脂材で、ホルダーＨの装着部３の底面３ａに貼着され、必要に応じて着脱することができる。Ｋ４は受信部、Ｋ５はボタン操作部と送信部である。また図７（Ｂ）に示すように、ホルダーＨは、携帯電話器Ｋの外表面Ｋ１に取り付けられているので、通話が長くなるときは、ホルダーＨを肩の位置に肩当て部１と肩掛け部２を載置して通話することができる。
【００３５】  図８（Ａ）〜（Ｃ）は、携帯電話器Ｋ用のホルダーＨの形状をキャラクターＣとした実施形態を示している。Ｃ１はストラップ、Ｃ２は、キャラクターＣの裏面部に取り付けられた弱粘着性軟質樹脂材で、携帯電話器Ｋの外表面Ｋ１に貼着され、着脱自在となっている。図１〜図７および図８（Ａ）〜（Ｃ）に図示するホルダーＨの形態は、本願発明の技術思想を開示するための一例であり、図示しない他の器物、車、動植物、果物等はもちろん、例えば、各種フィギュア、ＴＶアニメーション、映画や漫画のキャラクターグッズ、犬、猫などのペットを含む各種動植物の形態にして固定型電話器の送受話器１０の把持部１３に取り付けたり、携帯電話器Ｋの外表面Ｋ１に取り付けたりすることもできる。また図１に示すように、企業ＰＲなどのために例えばロゴマークＭをホルダーＨの所定位置に貼着して使用することもできる。さらに、図７〜図８に図示するように、ホルダーＨを好みのキャラクターＣ等として携帯電話器Ｋに取り付けて、長い通話を楽しくすることができる。
【符号の説明】
【００３６】Ｈ              ホルダー
Ｈａ            中実
Ｈｂ            中空体
θ              傾斜角度
Ｍ              ロゴマーク
ｈ１            肩掛け部の高さ寸法
１０            送受話器
１１            送話口
１２            受話口
１３            把持部
１３ａ          上部彎曲面
１              肩当て部
２              肩掛け部
３              装着部
３ａ            装着部の底面
４              剥離紙付き両面接着テープ
５              表皮部
６              面状ファスナー付きバンド
６ａ            マジックテープ（登録商標）
Ｋ              携帯電話器
Ｋ１            外表面
Ｃ              キャラクター
【図１】
2011114855.tif 000003
【図２】
2011114855.tif 000004
【図３】
2011114855.tif 000005
【図４】
2011114855.tif 000006
【図５】
2011114855.tif 000007
【図６】
2011114855.tif 000008
【図７】
2011114855.tif 000009
【図８】
2011114855.tif 000010